(57)【要約】本発明は、風力タービンのための塔の部分に関し、少なくとも一の壁部分と、少なくとも一の開口部を具備する少なくとも一の開口部部分とを備えている。壁部分と開口部部分とは、結合手段によって結合され、開口部部分は実質的に均一な厚みを有し、壁部分の厚みに比べて厚くなっている。本発明はさらに、風力タービンの塔の部分における少なくとも一の開口部をカバーするための、開口部のカバー装置に関する。装置は、カバー板と、装置を塔の部分に取り付けるための取付手段とを備え、取付手段は塔の部分の疲労限界に影響しないようになっている。最後に、本発明は、風力タービンの塔の部分を製造する方法と、その使用に関する。
2008519930.tif 000002
【特許請求の範囲】
【請求項１】
風力タービン（１）のための塔の部分（６）であって、
少なくとも一の壁部分（９）と、
少なくとも一の開口部（７）を有する少なくとも一の開口部部分（１０）とを備え、
前記壁部分（９）及び前記開口部部分（１０）とは、結合手段によって結合されていて、上記塔の部分において、
前記開口部部分（１０）は、実質的に均一の厚みを有し、前記壁部分（９）の厚みに比べて厚くなっていることを特徴とする塔の部分。
【請求項２】
前記開口部部分（１０）と、前記壁部分（９）とは、鋼から作られていることを特徴とする請求項１に記載の塔の部分（６）。
【請求項３】
前記壁部分（９）と、前記開口部部分（１０）とは、溶接によって結合されていることを特徴とする請求項１又は２に記載の塔の部分（６）。
【請求項４】
前記塔の部分（６）は、実質的に丸いか、または、多角形の形状を有していることを特徴とする先行するいずれかの請求項に記載の塔の部分（６）。
【請求項５】
前記開口部部分（１０）は、４辺を有していることを特徴とする先行するいずれかの請求項に記載の塔の部分（６）。
【請求項６】
前記少なくとも一の壁部分（９）と、少なくとも一の開口部部分（１０）とは、リングの部分を形成しており、前記結合手段で結合されたとき、完全な３６０度のリングを構成することを特徴とする先行するいずれかの請求項に記載の塔の部分（６）。
【請求項７】
前記開口部部分（１０）は、完全な３６０度の塔の部分（６）における、５度と１８０度との間、好ましくは３０度と１００度との間、最も好ましくは４０度と８０度との間の部分を構成していることを特徴とする先行するいずれかの請求項に記載の塔の部分（６）。
【請求項８】
前記少なくとも一の開口部部分（１０）の幅は、少なくとも一の開口部（７）が最も幅広になる箇所における開口部部分（１０）の水平な断面視において、少なくとも一の開口部（７）の全幅に比べて、１０パーセントと５００パーセントとの間、好ましくは５０パーセントと３００パーセントとの間、最も好ましくは１００パーセントと２００パーセントとの間、幅広になっていることを特徴とする先行するいずれかの請求項に記載の塔の部分（６）。
【請求項９】
前記壁部分（９）は、１メートルと１０メートルとの間、好ましくは２メートルと６メートルとの第、最も好ましくは３メートルと５メートルとの間の外径を有していることを特徴とする先行するいずれかの請求項に記載の塔の部分（６）。
【請求項１０】
前記開口部部分（１０）における少なくとも２つの縁部は、鋭利（１１）になっていることを特徴とする先行するいずれかの請求項に記載の塔の部分（６）。
【請求項１１】
前記開口部部分（１０）の凹面側と凸面側との両方における少なくとも２つの対向する縁部は、例えば、実質的に前記壁部分（９）の厚みにまで、鋭利（１１）になっていることを特徴とする先行するいずれかの請求項に記載の塔の部分（６）。
【請求項１２】
前記開口部部分（１０）の凹面側と凸面側との両方における４辺が、鋭利（１１）になっていることを特徴とする先行するいずれかの請求項に記載の塔の部分（６）。
【請求項１３】
前記開口部部分（１０）のピッチ円直径は、前記壁部分（９）のピッチ円直径と実質的に同一になっていることを特徴とする先行するいずれかの請求項に記載の塔の部分（６）。
【請求項１４】
前記開口部部分（１０）のピッチ円直径は、前記壁部分（９）のピッチ円直径に比べて小さくなっていることを特徴とする先行するいずれかの請求項に記載の塔の部分（６）。
【請求項１５】
前記壁部分（９）は、５ミリメートルから１２０ミリメートル、好ましくは１５ミリメートルから９０ミリメートル、最も好ましくは２０ミリメートルから７０ミリメートルの厚みを有していることを特徴とする先行するいずれかの請求項に記載の塔の部分（６）。
【請求項１６】
前記開口部部分（１０）は、前記壁部分（９）の厚みに比べて、１０パーセントから５００パーセント、好ましくは５０パーセントから２５０パーセント、最も好ましくは８０パーセントから１８０パーセント、厚くなっていることを特徴とする先行するいずれかの請求項に記載の塔の部分（６）。
【請求項１７】
前記壁部分（９）の高さは、１メートルから１０メートル、好ましくは１．５メートルから５メートル、最も好ましくは２メートルから４メートルであることを特徴とする先行するいずれかの請求項に記載の塔の部分（６）。
【請求項１８】
前記開口部部分（１０）は、前記壁部分（９）と実質的に同一の高さになっていることを特徴とする先行するいずれかの請求項に記載の塔の部分（６）。
【請求項１９】
前記少なくとも一の開口部部分（１０）における前記少なくとも一の開口部（７）は、炎切断によって形成されていることを特徴とする先行するいずれかの請求項に記載の塔の部分（６）。
【請求項２０】
前記少なくとも一の開口部部分（１０）における前記少なくとも一の開口部（７）はドアの開口部（７）であって、ドア（８）は、１以上の磁石ヒンジ（２３）によって、前記開口部部分（１０）に結合されていることを特徴とする先行するいずれかの請求項に記載の塔の部分（６）。
【請求項２１】
前記ドア開口部（７）は、実質的に長円形であって、垂直で平行な側部と、長手方向の丸い端部とを備えていることを特徴とする先行するいずれかの請求項に記載の塔の部分（６）。
【請求項２２】
前記開口部部分（１０）及び／又は前記壁部分（９）には、圧延によって、実質的に円形の形状が与えられていることを特徴とする先行するいずれかの請求項に記載の塔の部分（６）。
【請求項２３】
前記塔の部分（６）は、塔のリング（２２）であることを特徴とする先行するいずれかの請求項に記載の塔の部分（６）。
【請求項２４】
請求項１に記載された風力タービン（１）の塔の部分（６）における少なくとも一の開口部（７）をカバーするための開口部のカバー装置であって、
１以上のカバー板と、
前記装置を前記塔の部分（６）に取り付けるための１以上の取付手段と、を備え、
前記取付手段は、前記塔の部分（６）の疲労限界に影響しない、
ことを特徴とする開口部のカバー装置。
【請求項２５】
前記取付手段は、磁石手段及び／又は接着手段であることを特徴とする請求項２４に記載の開口部のカバー装置。
【請求項２６】
前記開口部のカバー装置は、磁力によって前記塔の部分（６）に取り付けられたヒンジ（２３）を備えるドア（８）であることを特徴とする請求項２４又は２５に記載の開口部のカバー装置。
【請求項２７】
少なくとも一の開口部部分（１０）と、少なくとも一の壁部分（９）とを備える、風力タービンの塔の部分（６）を製造する方法であって、前記方法が、
完全な３６０度のリングより小さい前記少なくとも一の壁部分（９）をつくる工程と、
前記開口部部分（１０）に、開口部（７）をつくる工程と、
固定ユニット（１２，１７）に少なくとも一の開口部部分（１０）と少なくとも一の壁部分（９）のうちの一方を固定する工程と、
他方（９，１０）を、前記固定ユニット（１２，１７）に固定された部分（９，１０）の近傍の位置へと移動させる工程と、
結合手段によって、部分（９，１０）を結合させる工程とを備えていることを特徴とする風力タービンの塔の部分（６）の製造方法。
【請求項２８】
前記方法が、所定の厚みの少なくとも一の壁部分（９）と、実質的に均一な厚みを有し、前記壁部分（９）の厚みに比べて厚い、少なくとも一の開口部部分（１０）とを結合させる段階を含んでいることを特徴とする請求項２７に記載の風力タービンの塔の部分（６）の製造方法。
【請求項２９】
前記少なくとも一の開口部部分（１０）と、前記少なくとも一の壁部分（９）とは、圧延によって作られていることを特徴とする請求項２７又は２８に記載の風力タービンの塔の部分（６）の製造方法。
【請求項３０】
前記開口部部分（１０）における少なくとも２つの縁部は、鋭利（１１）になっていることを特徴とする請求項２７乃至２９のいずれか一項に記載の風力タービンの塔の部分（６）の製造方法。
【請求項３１】
前記開口部部分（１０）の凹面側と凸面側とにおける少なくとも２つの対向する縁部は、例えば、実質的に前記壁部分（９）の厚みにまで、鋭利（１１）になっていることを特徴とする請求項３０に記載の風力タービンの塔の部分（６）の製造方法。
【請求項３２】
前記少なくとも一の開口部部分（１０）と、前記少なくとも一の壁部分（９）との間の結合部は、溶接から構成されていることを特徴とする請求項２７乃至３１のいずれか一項に記載の風力タービンの塔の部分（６）の製造方法。
【請求項３３】
前記固定ユニット（１２，１７）は、圧延機（１３）又は圧延機の一部分であることを特徴とする請求項２７乃至３２のいずれか一項に記載の風力タービンの塔の部分（６）の製造方法。
【請求項３４】
製造が、風力タービンプラントの製造プラントにおいて実行されることを特徴とする請求項２７乃至３３のいずれか一項に記載の風力タービンの塔の部分（６）の製造方法。
【請求項３５】
ドア開口部、ケーブル開口部、換気又は警告灯の開口部などの１以上の開口部（７）を風力タービン（１）に確立するための請求項１乃至２３のいずれか一項に記載の塔の部分（６）の使用。
【請求項３６】
ドア開口部、ケーブル開口部、換気又は警告灯の開口部などの１以上の開口部（７）を風力タービン（１）に確立するための請求項２７乃至３４のいずれか一項に記載の風力タービンの塔の部分（６）の製造方法の使用。
【発明の詳細な説明】
【技術分野】
【０００１】
本発明は、請求項１の前段部で特定された風力タービンの塔の部分、請求項２４の前段部で特定された開口部のカバー装置、及び、風力タービンの塔の部分の製造方法及びその使用に関する。
【背景技術】
【０００２】
当業者に知られている風力タービンは、代表的に、風力タービンの塔と、塔の頂部に配置される風力タービンナセルを備えている。３枚の風力タービンブレードを備える風力タービンロータは、図１に示すように、ナセルの前部に延びた低速シャフトを介してナセルに結合される。
【０００３】
風力タービンの塔は、代表的に、互いの頂部に取り付けられた多数の丸い塔の部分から構成され、それぞれの塔の部分は、円形の形状に圧延された鋼板から作られ、溶接されて閉じたリングを構成する。塔の部分は、風力タービンの製造プラントにおいて、溶接によって輸送可能な部分に組み込まれる。風力タービンの塔を構成する別の部分を、塔を建てるべき現場に輸送して、その部分がフランジ式のジョイントによって結合される。
【０００４】
完全に組み立てられた風力タービンの塔の頂部にあるナセルにアクセスするために、塔には、通常、塔の内部に梯子が設けられ、塔の底部又は底部付近における塔の部分には、塔の内部にアクセスすることを可能にする開口部が設けられ、この開口部はドアでカバーされて密封される。また、この塔の部分又は塔におけるその他のリングには、例えば、ケーブル、ランプ、又はその他の物のための開口部が設けられる。開口部は、通常、炎切断によって塔の部分に孔として形成される。
【０００５】
ドア開口部は、開口部の内側の縁部に溶接された厚いドアフレームを備え、孔のために生じる塔の部分のいくらかの強度損失を補償する。しかし、溶接は、塔の部分の疲労限界およびそれによる強度を減少させるので、ドアを提供する塔の部分は、ドア開口部のない同様な塔の部分を実質的に同一の強度に作る場合に必要になるのと比べて、より厚い板から作られる。リングは、均一の厚みであるので、大部分のリングは必要以上に厚くなる。
【０００６】
さらに、当業者に知られている風力タービンにおいては、ドアヒンジや、換気孔、航空警告灯、ケーブル固定手段、及びその他などの、塔の部分に取り付けられるほとんどの機器は、代表的に、溶接によって取り付けられる。これは、塔の部分の疲労限界を減少させ、この強度の損失を補償するために、さらに厚い板及び／又は大きなドアフレームが要求される。
【０００７】
その結果、開口部を備える公知の塔の部分は、かなり重くなり、複雑になり、従って、製造が高価であるという問題点を有する。
【０００８】
ドア開口部を備えた同様な塔の部分を提供する方法は、特許文献１に開示されている。この出願では、標準的な風力タービンの塔のドア開口部に、鋳造されたドアフレームを溶接している。ドアヒンジやロックなど、ドアフレームに設けられるあらゆる結合部は、ドアフレームと共に鋳造される。鋳鉄は、鋼に比べて脆いので、鋳鉄のドアフレームから作られた風力タービンの塔は、塔の残りと同じ鋼で作られる場合に比べて、著しく重くなる。
【特許文献１】国際公開第ＷＯ０３／０３６０８５号パンフレット
【０００９】
その上、鋳造工場は、圧延工場に比べて、かなり高価である。そうした鋳鉄のドアフレームを作る設備は、塔の部分を圧延する設備に比べて、その購入及び使用が著しく高価である。
【００１０】
圧延に比べると、鋳造は、鋳鉄の部品の設計及びそれらの製造の両方について、はるかに専門化された知識を必要とし、一方、圧延はより一般的に使用される簡単な工程である。また、鋳鉄と普通の鋼板とを結合するために必要な溶接技術も、かなり過酷な要求をする。
【００１１】
その結果、特許文献１において開示された解決手段は、極めて重たく、複雑で、従って製造が高価であるという問題点を有する。
【００１２】
さらに、風力タービンの塔の部分の重量は、取扱い及び輸送の両方において、著しく不都合を増加させる。
【発明の開示】
【発明が解決しようとする課題】
【００１３】
本発明の目的は、ドア開口部などの開口部を備える風力タービンの塔の部分において、材料の使用を最小化することである。
【００１４】
本発明のさらに別の目的は、生産コストを減少させるために、開口部を備えた風力タービンの塔の部分を製造する方法を簡略化することである。
【００１５】
本発明のさらに別の目的は、塔の部分の疲労限界を低下させずに、塔の部分における開口部をカバーする方法を見い出すことである。
【課題を解決するための手段】
【００１６】
本発明によって提供される塔の部分においては、開口部部分は、実質的に均一な厚みを有し、壁部分に比べて厚い厚みを有する。
【００１７】
開口部部分を実質的に均一な厚みに作ることによって、かかる部分は、普通の鋼板から作ることができる。塔の部分を作るのに通常使用される品質においては、鋼板は比較的安価に購入でき、比較的容易に、機械加工し、圧延し、及び溶接できる。
【００１８】
開口部部分を壁部分に比べて厚く作ることによって、必要な塔の部分に、強度が得られる。これにより、壁部分は、あたかも開口部の無い完全な塔の部分を構成するのと同一の厚みを有することができ、このことは、材料の消費を最小化し、もって塔の部分の重量を最小化するために著しく貢献する。
【００１９】
「開口部」という用語は、あらゆる形状の形態をもった孔、ギャップ、スリット、又は割れ目など、あらゆる種類の開口部を称することが強調されるべきである。
【００２０】
さらに、「部分」という用語は、丸い塔の部分の幾何学的形状など、幾何学的形状から切り取られた角度部分を称することが強調されるべきである。
【００２１】
さらに、「厚み」という用語は、例えば丸い塔の部分において、部分の半径の大きさを称することが強調されるべきである。
【００２２】
本発明のひとつの観点においては、開口部部分と壁部分との両方が鋼板から作られる。鋼は、強くて、堅固で、比較的安価な材料であって、良好な圧延、機械加工、及び溶接の品質を備えているので、近代的な風力タービンにおいて、塔の部分のセグメント及び塔の部分を作るための好ましい材料である。さらに、鋼は、良好な磁性の品質を有していて、例えば、梯子や、ドア、ヒンジ、及びランプなどのアクセサリーを、磁石によって塔の部分に取り付けることが可能になる。
【００２３】
本発明のひとつの観点によれば、壁部分と開口部部分とは溶接によって結合される。これにより、それらの間に強くて堅固な接続部を作ることが可能になり、同時に、材料の消費を最小限に保つことができる。
【００２４】
本発明のひとつの観点によれば、塔の部分は、実質的に丸いか、または、多角形の形状である。塔の部分を丸く作ることで、本発明によれば、最小限の材料が使用される。風力タービンのブレードに加わる風圧は、かなりの曲げモーメントを生じさせるが、風力タービンの塔はこれに耐えなければならない。ナセルは、常に風に面するように、あらゆる方向に回転するので、塔は、すべての側面からの曲げモーメントに耐えなければならない。この観点から、丸い塔は、近代的な風力タービンの塔における好ましいデザインである。
【００２５】
塔及び塔の部分を多角形の形状にすることで、塔の部分と、壁部分及び開口部部分を曲げ加工及びプレス加工又は両者の組合せによって形成することが可能になる。プレス加工又は曲げ加工は、塔の部分を製造する有利な方法である。
【００２６】
「丸い」又は「多角形」という用語は、塔の部分を筒状とすることについて、なんら制限もない。本発明に係る塔の部分は、筒状でも良いし、及び、円錐形など、垂直方向において一定ではない直径を有する形状でも良い。
【００２７】
本発明のひとつの観点においては、開口部部分は４辺を有しており、これにより、開口部部分は、好ましくは鋼板である通常の板から作ることが可能になって、さらに、開口部部分と壁部分とを比較的簡単な製造工程で製造することが可能になる。
【００２８】
しかしながら、このことは、開口部部分が正方形又は矩形の形状を有することに制限されないことが強調されるべきである。もしも塔及び塔の部分が円錐形であるならば、開口部部分は実質的に円錐形を有し、開口部部分は、頂部に比べて底部では幅広になっている。または、材料の使用を最小限にするために、開口部部分の側部を非直線とし、例えば、角部を丸めるか、または、開口部の形状に追従させて、側部を例えば丸く又は楕円の一部分の形状にしても良い。
【００２９】
本発明のひとつの観点によれば、少なくとも一の壁部分と、少なくとも一の開口部部分とは、リングの部分を形成し、前記結合手段によって結合されたとき、完全な３６０゜のリングを構成する。
【００３０】
開口部部分と壁部分との両方が、圧延された板から作られて、生産コストを減少させるとき、両方の部分は同一の生産方法によって形成されて、生産設備への投資は減少する。圧延によって開口部部分は、壁部分と同一の品質の鋼から作られる。これは、開口部部分が例えば鋳鉄から作られた場合に比べて、溶接によって結合されたとき、開口部部分と壁部分との間に著しく強度の高い接続部を提供する。
【００３１】
本発明のひとつの観点によれば、開口部部分は、完全な３６０度の塔の部分における、５度から１８０度、好ましくは３０度から１００度、最も好ましくは４０゜から８０゜の部分を構成している。これにより、開口部部分と壁部分とから構成された塔の部分には、強度と重量との間に有利な関係が得られる。
【００３２】
本発明のひとつの観点によれば、少なくとも一の開口部部分の幅は、少なくとも一の開口部が最も幅広になる箇所における開口部部分の水平な断面視において、少なくとも一の開口部の全幅に比べて、１０パーセントから５００パーセント、好ましくは５０パーセントから３００パーセント、最も好ましくは１００パーセントから２００パーセント、幅広になっている。
【００３３】
開口部部分の幅の範囲によって、開口部のために生じる強度の損失を補償しつつ、塔の部分に充分な材料を使用することが得られる。さらに、開口部と壁部分への結合部との間の距離は、結合部を通る著しい力線を避けるために充分である。
【００３４】
「水平」という用語は、建てられた風力タービンの塔に取り付けられた、塔の部分における開口部部分を称している。
【００３５】
本発明のひとつの観点によれば、壁部分は、１メートルから１０メートル、好ましくは２メートルから６メートル、最も好ましくは３メートルから５メートルの外径を有している。壁部分の外径は、強くて堅固な風力タービンの塔を作るために、前記壁部分の上下において、塔の部分の外径に対応しなければならない。与えられたナセルの重量、与えられた風力タービンの重量、及び与えられた塔の最大曲げモーメントに対して、伝統的な風力タービンの塔の構造を調節するには、主として２つの要因、すなわち、塔の直径と塔の部分の厚みとがある。塔の好ましいデザインでは、最小限の材料の使用で、最も強い塔が得られるように、これらの２つの要因が調節される。
【００３６】
本発明のひとつの観点によれば、前記開口部部分における少なくとも２つの縁部は鋭利にされる。縁部を鋭利にすることで、開口部部分と壁部分との間の接合部、及び開口部部分の上下の塔の部分への接合部を滑らかにすることが可能になる。滑らかな接合部が好ましいのは、例えば、水や、雪、又はゴミが集まる縁部が残されず、異なる材料の厚みの間において張力方向の有利なリンクが可能になるためである。しかしながら、鋭利な部分は、必ずしも直線的である必要はないことが強調されるべきである。異なる材料の厚みの間の接合部における応力の分布を最適化するために、非直線的又は部分的に非直線的に鋭利にすることが有利である。
【００３７】
本発明のひとつの観点によれば、前記開口部部分の凹面側と凸面側との両方における少なくとも２つの対向する縁部は、例えば、実質的に前記壁部分の厚みにまで、鋭利になっている。塔の内側と外側との両方の縁部を鋭利にすることによって、開口部部分と壁部分との間における、開口部部分の上下の塔の部分への接合部を、塔の内側と外側との両方において滑らかにすることが可能になる。また、これにより、部分の結合部の内側と外側には、実質的に同一な溶接継ぎ目を形成することが可能になって、塔の部分において、溶接によって引き起こされる内部張力を極めて小さくすることができる。
【００３８】
本発明のひとつの観点によれば、前記開口部部分の凹面側と凸面側との両方におけるすべての４辺の縁部が鋭利にされる。
【００３９】
本発明のひとつの観点によれば、開口部部分のピッチ円直径は、壁部分のピッチ円直径と実質的に同一になっている。
【００４０】
「ピッチ円直径」という用語は、上面図又は底面図として見たとき、部分の中間を通る円の直径として解釈され、中間とは、部分が作られている圧延板の内側へと外側への半径距離が等しいことを意味している。
【００４１】
開口部部分を壁部分に「中心合わせ」をすることによって、壁部分と開口部部分との製造及び組立が比較的簡単になるが、というのは、開口部部分は、内側と外側とで同一のやり方で鋭利にすることができ、また、組立中に、壁部分に対して開口部部分の正しい位置を決定するのが容易になるからである。
【００４２】
本発明のひとつの観点によれば、開口部部分のピッチ円直径は、壁部分のピッチ円直径に比べて小さくなっている。
【００４３】
開口部部分のピッチ円直径を壁部分のピッチ円直径に比べて小さくすることによって、開口部部分は若干、塔の部分に入り込んで位置決めされる。これは、塔の部分の内側と外側との間における張力の分布を均一にするので、有利である。
【００４４】
本発明のひとつの観点によれば、壁部分は、５ミリメートルと１２０ミリメートルとの間、好ましくは１５ミリメートルと９０ミリメートルとの間、最も好ましくは２０ミリメートルと７０ミリメートルとの間の厚みを有している。
【００４５】
塔の好ましいデザイン及びこれによる壁部分では、材料の最小限の使用で最も強い塔が得られるような、部分の壁厚と塔の直径との間の関係に決定される。壁部分の厚みの範囲において、塔の部分に効率的な材料の使用を得ることが可能である。
【００４６】
本発明のひとつの観点によれば、開口部部分は、壁部分の厚みに比べて、１０パーセントよ５００パーセントとの間、好ましくは５０パーセントと２５０パーセントとの間、最も好ましくは８０パーセントと１８０パーセントとの間の分だけ厚くなっている。この厚み範囲の開口部部分によって、開口部部分の厚みとその強度との間には有利な関係が達成される。
【００４７】
本発明のひとつの観点によれば、壁部分の高さは、１メートルと１０メートルとの間、好ましくは１．５メートルと５メートルとの間、最も好ましくは２メートルと４メートルとの間である。この高さの範囲によれば、壁部分の高さと、それを取り扱う能力と、それを生産するコストとの間に、有利な関係が得られる。
【００４８】
本発明のひとつの観点によれば、開口部部分は、壁部分と実質的に同一の高さになっている。これにより、製造と、異なる部分を結合する工程との両方が簡単になる。
【００４９】
本発明のひとつの観点によれば、少なくとも一の開口部部分における少なくとも一の開口部は、炎切断によって形成される。炎切断は、好ましくは鋼板である板に開口部を形成するための、安価で、迅速で、比較的簡単な工程であって、このため、伝統的に、炎切断は、比較的厚い鋼板を切断する好ましい方法になっている。
【００５０】
「炎カッター」という用語は、あらゆる種類のプラズマカッター、レーザーカッター、又は炎カッターを称することが強調されるべきである。
【００５１】
本発明のひとつの観点によれば、少なくとも一の開口部部分における少なくとも一の開口部はドアの開口部であって、ドアは、１以上の磁石ヒンジによって、開口部部分に結合されている。ドアのヒンジを磁力によって開口部部分に結合することによって、例えば溶接に見られるようには、内部張力によって部分が弱まることがない。開口部のまわりの脆弱化を回避することは、力線がここに集中することから、特に好ましい。
【００５２】
本発明のひとつの観点によれば、前記ドア開口部は、実質的に長円形であって、垂直で平行な側部と、長手方向の丸い端部とを備えている。近代的な風力タービンの塔においては、これは好ましいドア開口部のデザインであるが、というのは、危険な応力集中のリスクを最小化し、それにより、材料の使用が最小化されるためである。
【００５３】
本発明のひとつの観点によれば、少なくとも一の開口部部分及び／又は少なくとも一の壁部分には、圧延によって、実質的に円形の形状が与えられているが、というのは、圧延は、加工可能な板、特に鋼板に円形の形状を与えるための好ましい方法だからである。
【００５４】
本発明のひとつの観点によれば、塔の部分は、塔のリングである。塔の部分を単一の塔のリングとして作ることによって、塔の部分は製造が容易になる。
【００５５】
本発明はさらに、風力タービンの塔の部分における少なくとも一の開口部をカバーするための開口部のカバー装置を提供し、前記装置は、１以上のカバー板と、前記装置を前記塔の部分に取り付けるための１以上の取付手段とを備え、前記取付手段は、前記塔の部分の疲労限界に影響しないことを特徴とする。
【００５６】
力線は開口部のまわりに集中し、カバーを例えば溶接によって取り付けると、強度が特に必要な塔の部分が弱くなる。この問題点を解決するために、疲労限界に影響せず、従って、塔の部分の強度に影響しない方法で開口部のカバーを取り付ける。
【００５７】
本発明のひとつの観点によれば、取付手段は、磁石手段及び／又は接着手段である。磁石及び／又は接着は、開口部カバーなどのアクセサリーを塔の部分に取り付けるための、比較的簡単で、確実で、安価な方法である。
【００５８】
本発明のひとつの観点によれば、前記開口部のカバー装置は、磁力によって前記塔の部分に取り付けられたヒンジを備えるドアである。塔の部分の疲労限界を減少させずに開口部をカバーするという問題は、特に開口部がドア開口部である場合に言明されるが、というのは、ドア開口部は、しばしば塔における最大の開口部であり、かつ、ドアは、応力集中が最も高い、塔の底部に配置されるためである。従って、磁石のヒンジによってドアを塔の部分に結合するような、開口部のカバー装置を使用することによる効果は、特に言明される。
【００５９】
本発明はさらに、少なくとも一の開口部部分と、少なくとも一の壁部分とを備える、風力タービンの塔の部分を製造する方法を提供し、前記方法は、前記少なくとも一の壁部分を、完全な３６０度のリングに比べて小さく確立する段階と、前記開口部部分に、開口部を確立する段階と、固定ユニットに前記部分のうちの一方を固定する段階と、他方の部分を、前記固定ユニットに固定された部分の近傍の位置へと移動させる段階と、結合手段によって、部分を結合させる段階と、を備えている。この方法によれば、開口部をもった塔の部分を製造するための有利な手順が得られる。
【００６０】
壁部分か、開口部部分かを固定するために、固定ユニットを使用し、次に、他方の部分を、固定された部分に結合できる所定の位置に位置決めすることによって、結合中に部分を安定化させるための比較的簡単な方法が提供され、これにより、特に結合が溶接によって行われる場合に、良好な品質にて部分間を結合するための有利な状況が得られる。
【００６１】
本発明のひとつの観点によれば、風力タービンの塔の製造方法であって、所定の厚みの少なくとも一の壁部分と、実質的に均一な厚みを有し、前記壁部分の厚みに比べて厚い、少なくとも一の開口部部分とを結合させる段階を含んでいる方法が提供される。これにより、本発明の有利な実施形態が達成される。
【００６２】
本発明のひとつの観点によれば前記少なくとも一の開口部部分と、前記少なくとも一の壁部分とは、圧延によって作られているような、風力タービンの塔の部分の製造方法が提供される。
【００６３】
本発明のひとつの観点によれば、前記開口部部分における少なくとも２つの縁部は、鋭利になっているような、風力タービンの塔の部分の製造方法が提供される。
【００６４】
本発明のひとつの観点によれば、前記開口部部分の凹面側と凸面側とにおける少なくとも２つの対向する縁部は、例えば、実質的に前記壁部分の厚みにまで、鋭利になっているような、風力タービンの塔の部分の製造方法が提供される。
【００６５】
本発明のひとつの観点によれば、前記少なくとも一の開口部部分と、前記少なくとも一の壁部分との間の結合部は、溶接から構成されているような、風力タービンの塔の部分の製造方法が提供される。
【００６６】
本発明のひとつの観点によれば、固定ユニットは、圧延機又は圧延機の一部分であるような、風力タービンの塔の部分の製造方法が提供される。部分を結合するとき、壁部分又は開口部部分を固定するために圧延機を使用することで、別個の固定ユニットと、そのためのコストとを必要としない方法が提供される。
【００６７】
本発明のひとつの観点によれば、製造が、風力タービンプラントの製造プラントにおいて実行されるような、風力タービンの塔の部分の製造方法が提供される。風力タービンを製造プラントにおいて製造することによって、風力タービンの異なる部品の輸送及び取扱いが減少する。
【００６８】
本発明のひとつの観点によれば、ドア開口部、ケーブル開口部、換気又は警告灯の開口部などの１以上の開口部を風力タービンに確立するための、塔の部分の使用が提供される。これにより、本発明の有利な実施形態が達成される。
【００６９】
本発明のひとつの観点によれば、ドア開口部、ケーブル開口部、換気又は警告灯の開口部などの１以上の開口部を風力タービンに確立するための、風力タービンの塔の部分の製造方法の使用が提供される。これにより、本発明の有利な実施形態が達成される。
以下、本発明について、添付図面を参照して説明する。
【発明を実施するための最良の形態】
【００７０】
図１は、基礎１８に取り付けられた近代的な風力タービン１であって、ヒンジ２３によって塔２に取り付けられたドア８と、塔２の頂部に配置された風力タービンナセル３とを備える、塔２から構成されている。風力タービンのローター４は、３枚の風力タービンブレード５を備え、ナセル３から前方に延びた低速シャフトを介して、ナセル３に結合されている。
【００７１】
風力タービン１の異なる構成要素は、通常、取り付け及び組み立ての現場に別々に輸送されて、例えば、異なる塔の部分と、ナセル３と、風力タービンブレード５とに組立てられる。
【００７２】
図２は、風力タービンの塔２の下部部分を示していて、ドア（図示せず）に適応するためのドア開口部７を備える塔の部分６から構成されている。本発明のこの実施形態においては、塔の部分６は、壁部分９と開口部部分１０とから構成され、これらが、この事例では、塔のリング２２を構成する塔の部分６になっている。ドア開口部７を備えた塔の部分６は、ネジ、ボルト、リベット、接着剤、又は溶接などの結合手段によって、隣接する塔のリング２２に結合されている。風力タービンの塔の通常の使用時には、塔の部分６は上下において塔のリング２２に溶接される。他の実施形態においては、塔の部分６の頂部及び／又は底部には、フランジが設けられ、ネジや、ボルト、リベットその他の取付具を用いて、塔の部分６を、塔のリング２２の上部、及び／又は、塔のリング２２又は基礎の下部に結合する。さらに、図示の如く、本発明のこの実施形態においては、開口部部分１０は、壁部分９と実質的に同一の高さを有している。寸法Ｈに示すように、高さという用語は、完全に建てられた風力タービンの塔２において、垂直方向に延びた対象物に関連して解釈される。
【００７３】
本発明のひとつの実施形態においては、ドア開口部７には、例えば磁石ヒンジによって開口部部分１０に結合されたドア（図示せず）が設けられる。
【００７４】
図２は、風力タービンの塔２の部分について、円形の実施形態を示しているけれども、他の実施形態においては、リング及び塔２は、上方に向けて直径が減少するような円錐形でも良い。
【００７５】
本発明の実施形態においては、壁部分９は、比較的薄い板から作られており、板は、塔の部分６従って塔２が使用される、風力タービン１のサイズによって定まる直径を有するような円形に圧延される。圧延された壁部分９は、塔の部分６の完全な３６０度を構成せず、少なくとも一の開口部部分１０に適応するための開口部を有している。
【００７６】
開口部部分１０は、壁部分９が作られている板よりも厚い板から作られ、壁部分９と実質的に同一の直径をもつ円形に圧延されている。開口部部分１０を圧延する前又は後に、前記部分から、炎カッター又はその他の金属切断装置を用いて、少なくとも一の開口部７を切り取る。
【００７７】
もしも、塔の部分６に１つを越える開口部７が必要ならば、１つを越える開口部部分１０を少なくとも一の壁部分９に溶接し、３つ以上の部分を一緒にさせて、完全な塔の部分６を構成しても良い。例えば、ドア部分とケーブル部分などの、２つの開口部部分を水平に隣接させて配置し、これらの両方を壁部分に結合させる。
【００７８】
本発明の他の実施形態においては、開口部部分１０には、１つを越える開口部７が設けられる。これは、例えば、塔の部分６に、ドアと共に、メインケーブルや、換気口などの（図示せず）開口部を設けることが必要な場合である。
【００７９】
また、風力タービンの塔２には、開口部７を備えた１つを越える塔の部分６が設けられる。これは例えば、塔の底部又は底部に近い塔の部分６には、例えばドア開口部７が設けられ、塔２の頂部又は頂部に近い塔の別の部分６には、例えば航空警告灯（図示せず）などの１以上の開口部７が設けられる場合である。
【００８０】
本発明のこの実施形態においては、図示の如く、ネジや、ボルト、リベット、接着、又は好ましくは溶接（図示せず）などの何らかの種類の結合手段によって、壁部分９と開口部部分１０とが結合されたとき、それらは一緒になって、完全な３６０度の実質的に丸い塔の部分６を構成する。本発明の他の実施形態においては、塔の部分は、少なくとも３つの側面をもった多角形の形状を有していても良い。
【００８１】
図３は、ドア開口部７を備え、壁部分９と開口部部分１０とから構成された塔の部分６を、ドア開口部７の中間を通る垂直な断面図にて示している。
【００８２】
本発明の実施形態においては、開口部部分１０の凹面側と凸面側とにおけるすべての４辺が鋭利１１にされている。本発明の実施形態においては、開口部部分１０の頂部及び底部の縁部を鋭利１１にすることで、開口部部分１０は、上下に隣接する塔のリング２２と同じ厚みになる。頂部及び底部の縁部を鋭利１１にすることは、開口部部分１０が円形の形状に圧延される前に行うのが有利である。本発明の他の実施形態においては、非直線的、例えば、楕円の一部分の形状になるように鋭利１１にしたり、及び／又は、鋭利１１な部分と、開口部部分１０の完全な材料の厚みの部分との間の縁部を丸めたりしても良い。
【００８３】
ドア開口部７及びドア８を備えた、壁部分９と開口部部分１０とから構成されてなる塔の部分６を、ドア開口部７の中間を通る水平な断面図にて示している。
【００８４】
本発明の実施形態においては、開口部部分１０の凹面側と凸面側とにおけるすべての４辺が鋭利１１にされている。本発明の実施形態においては、開口部部分１０の側部を鋭利１１にすることで、開口部部分１０の端部は、壁部分６と同じ厚みになっている。当業者に知られている伝統的な圧延機の機能のために、開口部部分１０の側縁を鋭利１１にするのは、開口部部分１０が円形の形状に圧延された後に行うことが好ましい。
【００８５】
図示の開口部部分１０は、１枚のドアに適応するためのものであり、従って、開口部部分１０には、ひとつだけの開口部７が設けられている。本発明のこの実施形態においては、開口部部分１０の幅は、開口部７の幅のおよそ３倍になっていて、開口部は、開口部部分１０において対称的に配置されている。寸法Ｗは、幅という用語が、部分の周辺に延びるものとして解釈されることを示している。もしも、開口部部分１０における開口部７が、０．７メートルの幅のドア開口部７であるならば、塔の部分６は、例えば４メートルの外径を有し、開口部部分１０は、およそ２．１メートルの幅を有することになり、この場合、完全な３６０度の塔の部分に対して約６０度を構成する。
【００８６】
本発明のこの実施形態においては、図４に示すように、壁部分９と開口部部分１０とのピッチ円直径は一致している。寸法Ｐは、この一致したピッチ円直径を示している。本発明の他の実施形態においては、開口部部分のピッチ円直径は、壁部分のピッチ円直径に比べて小さく作られる。
【００８７】
開口部部分１０の幅は、開口部部分１０に設けられる開口部７のサイズ及び数に従って定められる。本発明の実施形態においては、もしも、開口部部分１０にひとつの開口部７を設けるならば、開口部部分１０の幅は、開口部７の幅のおよそ３倍になるが、というのは、水平に見て、開口部７は開口部部分１０の実質的に中間に配置され、開口部部分１０の部分は開口部の両側において、開口部７と概略同一の幅を有するためである。もしも、開口部部分１０に１つを越える開口部７が設けられるならば、開口部部分１０の幅は、それらの開口部７のサイズと、それらがどのように開口部部分１０に配置されるかとによって定められる。
【００８８】
図４はさらに、開口部７をカバーするドア８を示している。本発明のこの実施形態においては、ドア８は、１以上のヒンジによって、塔の部分６に結合される。ヒンジは、例えば、ネジや、ボルト、リベット、溶接などの手段によって塔の部分に取り付けることもできるが、より好ましくは、ヒンジは、塔の部分６を弱めないような非破壊的なやり方で結合される。非破壊的な取付方法は、磁石や、グルーなどの接着手段、又はこれら２つの組合せである。
【００８９】
図５は、２つの壁部分９と２つの開口部部分１０とから構成されてなる塔の部分６の実施形態を示している。開口部７のサイズが、塔のリング２２に比べて高い場合には、開口部７は、例えば、２つの塔のリング２２を一緒に溶接することによって作られ、それぞれの塔のリングは、合わせると開口部７になるような部分を構成する切り取り部が設けられた開口部部分１０から構成される。
【００９０】
図６は、２つの壁部分９とひとつの開口部部分１０とから構成された塔の部分６の実施形態を示している。もしも、開口部７のサイズが、塔のリング２２に比べて高いならば、開口部７は、例えば、２つの壁部分９を、２つの壁部分９と同じ高さをもったひとつの開口部部分１０に溶接することによって作られる。
【００９１】
図７は、円錐形の塔の部分６の実施形態を示していて、開口部部分１０の側部は直線的ではあるが、非平行になっている。本発明の他の実施形態においては、開口部部分１０の角部は丸められ、または、側部は開口部７の形状に従い、この場合には、側部は、楕円の一部分の形状を有することになる。壁部分９は、開口部部分１０に与えられた形状に対応するような形状を有する。
【００９２】
図８は、風力タービンの塔の部分の製造方法を示した斜視図であって、開口部部分を支持した運搬車が、壁部分を支持した固定ユニットの近傍の位置に移動されている。図にはさらに、既成の壁部分９を支持している圧延機１３が示されている。
【００９３】
本発明のこの実施形態においては、圧延機１３は、固定ユニット１２として機能する。開口部部分１０は、ドア開口部７において、保持手段１５によって、運搬車１４に搭載されて固定される。本発明のこの実施形態においては、運搬車１４にはホイール１６が設けられ、運搬車１４を押したり引いたりすることで、または、運搬車１４に電気モータ（図示せず）やその他の種類のモータなどの駆動手段を設けることで、運搬車は可動になっている。
【００９４】
図９は、固定された開口部部分１０が傾動した位置にされた運搬車１４を示している。本発明のこの実施形態においては、搭載された開口部部分１０は、例えば、液圧や、空気圧、又は電気モータ又はその他の種類のモータ（図示せず）によって傾動される。
【００９５】
図１０は、傾動位置にある開口部部分１０を支持した運搬車１４が、壁部分９と開口部部分１０とを好ましくは溶接によって結合可能な位置に持ち込まれた様子を示している。
【００９６】
図１１は、依然として固定ユニット１２に搭載された壁部分９が開口部部分１０に結合されて、これらが一緒になって、本発明のこの実施形態による、完全な３６０度の塔の部分６を構成した様子を示している。
【００９７】
図１２は、風力タービンの塔の部分６を製造する他の方法を示した斜視図であって、開口部部分１０は固定ユニット１７に配置されている。
【００９８】
開口部部分１０が配置される固定板１９には、頂部に弓形の縁部２０が設けられ、この縁部は、特定の塔の部分６の外径に対応している。
【００９９】
図１３は、更なる方法の段階を示していて、開口部部分を支持した固定ユニットへと、壁部分を下降させて、部分を結合する様子を示している。
【０１００】
壁部分９は、何かの種類の昇降手段２１によって、固定ユニット１７上の結合位置にまで下降され、その位置には、開口部部分１０が既に配置されている。完全な３６０度の塔の部分６を構成する部分を結合したとき、これは、ひとつの部品として、固定ユニット１７から持ち上げられる。
【図面の簡単な説明】
【０１０１】
【図１】近代的な風力タービンを示した図である。
【図２】実施形態による風力タービンの塔における塔の部分であって、ドア開口部をもった風力タービンの塔の部分を斜視図にて示している。
【図３】ドア開口部をもった風力タービンの塔の部分であって、ドア開口部の中間を通る垂直な横断面を側部から見た図である。
【図４】ドア開口部及びドアをもった風力タービンの塔の部分であって、ドア開口部の中間を通る水平な横断面を頂部から見た図である。
【図５】２つの壁部分と２つの開口部部分とを備える、塔の部分の実施形態を示している。
【図６】２つの壁部分と１つの開口部部分とを備える、塔の部分の実施形態を示している。
【図７】円錐形である塔の部分の実施形態を示している。
【図８】風力タービンの塔の部分の製造方法を示した斜視図であって、開口部部分を支持した運搬車が、壁部分を支持した固定ユニットの近傍の位置へ移動している。
【図９】方法の段階であって、開口部部分を支持した運搬車が傾動位置になっている。
【図１０】方法の段階であって、開口部部分を支持して傾動位置にされた運搬車が、固定ユニットに支持された壁部分に結合するための位置にもたらされている。
【図１１】方法の更なる段階であって、壁部分が開口部部分に結合されている。
【図１２】風力タービンの塔の部分の別の製造方法を示した斜視図であって、開口部部分は固定ユニットに配置されている。
【図１３】方法の更なる段階を示していて、開口部部分を支持した固定ユニットに、壁部分を下降させて、部分を結合している。
【符号の説明】
【０１０２】
１    風力タービン
２    塔
３    ナセル
４    ローター
５    ブレード
６    塔の部分
７    開口部
８    ドア
９    壁部分
１０  開口部部分
１１  鋭利な部分
１２  固定ユニット
１３  圧延機
１４  運搬車
１５  保持手段
１６  ホイール
１７  固定ユニット
１８  基礎
１９  固定板
２０  弓形の縁部
２１  昇降手段
２２  塔のリング
２３  ヒンジ
【図１】
2008519930.tif 000003
【図２】
2008519930.tif 000004
【図３】
2008519930.tif 000005
【図４】
2008519930.tif 000006
【図５】
2008519930.tif 000007
【図６】
2008519930.tif 000008
【図７】
2008519930.tif 000009
【図８】
2008519930.tif 000010
【図９】
2008519930.tif 000011
【図１０】
2008519930.tif 000012
【図１１】
2008519930.tif 000013
【図１２】
2008519930.tif 000014
【図１３】
2008519930.tif 000015
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
風力タービン（１）のための塔部（６）であって、
少なくともひとつの壁部分（９）と、
少なくともひとつの開口部（７）を有する少なくともひとつの開口部部分（１０）とを備え、
前記壁部分（９）と前記開口部部分（１０）とは、結合手段によって結合されていて、
前記開口部部分（１０）は、実質的に均一な厚みを有し、その厚さは前記壁部分（９）の厚みより厚いことを特徴とする塔部。
【請求項２】
請求項１に記載の塔部（６）であって、
前記開口部部分（１０）と、前記壁部分（９）とは、鋼から作られていることを特徴とする塔部。
【請求項３】
請求項１または２に記載の塔部（６）であって、
前記壁部分（９）と、前記開口部部分（１０）とは、溶接によって結合されていることを特徴とする塔部。
【請求項４】
請求項１から３のいずれかに記載の塔部（６）であって、
前記塔部（６）は、実質的に丸いか、または、多角形の形状を有していることを特徴とする塔部。
【請求項５】
請求項１から４のいずれかに記載の塔部（６）であって、
前記開口部部分（１０）は、４辺を有していることを特徴とする塔部（６）。
【請求項６】
請求項１から５のいずれかに記載の塔部（６）であって、
前記少なくともひとつの壁部分（９）と、少なくともひとつの開口部部分（１０）とは、リングの部分を形成しており、前記結合手段で結合されたとき、完全な３６０度のリングを構成することを特徴とする塔部（６）。
【請求項７】
請求項１から６のいずれかに記載の塔部（６）であって、
前記開口部部分（１０）は、完全な３６０度の塔部（６）に対して、５度と１８０度との間、好ましくは３０度と１００度との間、最も好ましくは４０度と８０度との間の部分を構成していることを特徴とする塔部（６）。
【請求項８】
請求項１から７のいずれかに記載の塔部（６）であって、
前記少なくともひとつの開口部部分（１０）の幅は、少なくともひとつの開口部（７）が最も幅広になる箇所における開口部部分（１０）の水平な断面視において、少なくともひとつの開口部（７）の全幅に対して、１０パーセントと５００パーセントとの間、好ましくは５０パーセントと３００パーセントとの間、最も好ましくは１００パーセントと２００パーセントとの間である幅を有することを特徴とする先行する塔部（６）。
【請求項９】
請求項１から８のいずれかに記載の塔部（６）であって、
前記壁部分（９）は、１メートルと１０メートルとの間、好ましくは２メートルと６メートルとの間、最も好ましくは３メートルと５メートルとの間の外径を有していることを特徴とする塔部（６）。
【請求項１０】
請求項１から９のいずれかに記載の塔部（６）であって、
前記開口部部分（１０）における少なくとも２つの縁部は、鋭利（１１）になっていることを特徴とする塔部（６）。
【請求項１１】
請求項１から１０のいずれかに記載の塔部（６）であって、
前記開口部部分（１０）の凹面側と凸面側との両方における少なくとも２つの対向する縁部は、例えば、実質的に前記壁部分（９）の厚みになるまで鋭利（１１）になっていることを特徴とする塔部（６）。
【請求項１２】
請求項１から１１のいずれかに記載の塔部（６）であって、
前記開口部部分（１０）の凹面側と凸面側との両方における４辺が、鋭利（１１）になっていることを特徴とする塔部（６）。
【請求項１３】
請求項１から１２のいずれかに記載の塔部（６）であって、
前記開口部部分（１０）のピッチ円直径は、前記壁部分（９）のピッチ円直径と実質的に同一になっていることを特徴とする塔部（６）。
【請求項１４】
請求項１から１３のいずれかに記載の塔部（６）であって、
前記開口部部分（１０）のピッチ円直径は、前記壁部分（９）のピッチ円直径に比べて小さくなっていることを特徴とする塔部（６）。
【請求項１５】
請求項１から１４のいずれかに記載の塔部（６）であって、
前記壁部分（９）は、５ミリメートルと１２０ミリメートルとの間、好ましくは１５ミリメートルと９０ミリメートルとの間、最も好ましくは２０ミリメートルと７０ミリメートルとの間の厚みを有していることを特徴とする塔部（６）。
【請求項１６】
請求項１から１５のいずれかに記載の塔部（６）であって、
前記開口部部分（１０）は、前記壁部分（９）の厚みに対して、１０パーセントと５００パーセントとの間、好ましくは５０パーセントと２５０パーセントとの間、最も好ましくは８０パーセントと１８０パーセントとの間の厚さを有していることを特徴とする塔部（６）。
【請求項１７】
請求項１から１６のいずれかに記載の塔部（６）であって、
前記壁部分（９）の高さは、１メートルと１０メートルとの間、好ましくは１．５メートルと５メートルとの間、最も好ましくは２メートルと４メートルとの間であることを特徴とする塔部（６）。
【請求項１８】
請求項１から１７のいずれかに記載の塔部（６）であって、
前記開口部部分（１０）は、前記壁部分（９）と実質的に同一の高さになっていることを特徴とする塔部（６）。
【請求項１９】
請求項１から１８のいずれかに記載の塔部（６）であって、
前記少なくともひとつの開口部部分（１０）における前記少なくともひとつの開口部（７）は、炎切断によって形成されていることを特徴とする塔部（６）。
【請求項２０】
請求項１から１９のいずれかに記載の塔部（６）であって、
前記少なくともひとつの開口部部分（１０）における前記少なくともひとつの開口部（７）はドアの開口部（７）であって、ドア（８）は、１以上の磁石ヒンジ（２３）によって、前記開口部部分（１０）に結合されていることを特徴とする塔部（６）。
【請求項２１】
請求項１から２０のいずれかに記載の塔部（６）であって、
前記ドア開口部（７）は、実質的に長円形であって、垂直で平行な側部と、長手方向の丸い端部とを備えていることを特徴とする塔部（６）。
【請求項２２】
請求項１から２１のいずれかに記載の塔部（６）であって、
前記開口部部分（１０）及び／又は前記壁部分（９）には、圧延によって、実質的に円形の形状が与えられていることを特徴とする塔部（６）。
【請求項２３】
請求項１から２２のいずれかに記載の塔部（６）であって、
前記塔部（６）は、塔のリング（２２）であることを特徴とする塔部（６）。
【請求項２４】
請求項１に記載された風力タービン（１）の塔部（６）における少なくともひとつの開口部（７）をカバーするための開口部のカバー装置であって、
１以上のカバー板と、
前記装置を前記塔部（６）に取り付けるための１以上の取付手段とを備え、
前記取付手段は、前記塔部（６）の疲労限界に影響しないことを特徴とする開口部のカバー装置。
【請求項２５】
請求項２４に記載の開口部のカバー装置であって、該カバー装置は、磁石手段により該塔部（６）に取り付けられているヒンジ（２３）を有するドアであることを特徴とするカバー装置。
【請求項２６】
少なくともひとつの開口部部分（１０）と、少なくともひとつの壁部分（９）とを備える、風力タービンの塔部（６）を製造する方法であって、前記方法は、
完全な３６０度のリングよりも少なく前記ひとつの壁部分（９）を作る工程と、
前記開口部部分（１０）に開口部（７）を作る工程と、
固定ユニット（１２，１７）に該開口部分または該壁部分（９，１０）のうちの一方を固定する工程と、
その他方（９，１０）を、前記固定ユニット（１２，１７）に固定された前記一方（９，１０）の近傍の位置に移動させる工程と、
結合手段によって、該開口部分および該壁部分（９，１０）を結合する工程とを備えていることを特徴とする風力タービンの塔部（６）の製造方法。
【請求項２７】
請求項２６に記載の風力タービンの塔部（６）の製造方法であって、該方法は、
与えられた厚さの前記少なくともひとつの壁部分（９）とほぼ一様で前記少なくともひとつの壁部分（９）の厚さより厚い少なくともひとつの開口部部分（１０）とを結合する工程を備えていることを特徴とする風力タービンの塔部（６）の製造方法。
【請求項２８】
請求項２６または２７に記載の風力タービンの塔部（６）の製造方法であって、
前記少なくともひとつの開口部部分（１０）と少なくともひとつの壁部分（９）とは、圧延によって作られることを特徴とする製造方法。
【請求項２９】
請求項２６から２８のいずれかに記載の風力タービンの塔部（６）の製造方法であって、
前記開口部部分（１０）における少なくとも２つの縁部は、鋭利（１１）になっていることを特徴とする製造方法。
【請求項３０】
請求項２９に記載の風力タービンの塔部（６）の製造方法であって、
前記開口部部分（１０）の凹面側と凸面側とにおける少なくとも２つの対向する縁部は、例えば、実質的に前記壁部分（９）の厚みになるまで鋭利（１１）になっていることを特徴とする製造方法。
【請求項３１】
請求項２６から３０のいずれかに記載の風力タービンの塔部（６）の製造方法であって、
前記少なくともひとつの開口部部分（１０）と、前記少なくともひとつの壁部分（９）との間の結合部は溶接部であることを特徴とする製造方法。
【請求項３２】
請求項２６から３１のいずれかに記載の風力タービンの塔部（６）の製造方法であって、
前記固定ユニット（１２，１７）は、圧延機（１３）又はその一部分であることを特徴とする製造方法。
【請求項３３】
請求項２６から３２のいずれかに記載の風力タービンの塔部（６）の製造方法であって、
その製造は、風力タービンプラントの製造プラントにおいて実行されることを特徴とする製造方法。
【請求項３４】
請求項１乃至２３のいずれか一項に記載の塔部（６）の使用であって、
ドア開口部、ケーブル開口部、換気又は警告灯の開口部などの１以上の開口部（７）を風力タービン（１）に確立するための使用。
【請求項３５】
請求項２６乃至３３のいずれか一項に記載の風力タービンの塔部（６）の製造方法の使用であって、
ドア開口部、ケーブル開口部、換気又は警告灯の開口部などの１以上の開口部（７）を風力タービン（１）に確立するための使用。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
風力タービン（１）のための塔部（６）であって、
少なくともひとつの壁部分（９）と、
少なくともひとつの開口部（７）を有する少なくともひとつの開口部部分（１０）とを備え、
前記壁部分（９）と前記開口部部分（１０）とは、結合手段によって結合されていて、
前記開口部部分（１０）は、実質的に均一な厚みを有し、その厚さは前記壁部分（９）の厚みより厚く、
前記壁部分の少なくとも一つは、３６０度の完全な輪よりも少ないように形成されていることを特徴とする塔部。
【請求項２】
請求項１に記載の塔部（６）であって、
前記開口部部分（１０）と、前記壁部分（９）とは、鋼から作られていることを特徴とする塔部。
【請求項３】
請求項１または２に記載の塔部（６）であって、
前記壁部分（９）と、前記開口部部分（１０）とは、溶接によって結合されていることを特徴とする塔部。
【請求項４】
請求項１から３のいずれかに記載の塔部（６）であって、
前記開口部部分（１０）は、４辺を有していることを特徴とする塔部（６）。
【請求項５】
請求項１から４のいずれかに記載の塔部（６）であって、
前記少なくともひとつの壁部分（９）と、少なくともひとつの開口部部分（１０）とは、リングの部分を形成しており、前記結合手段で結合されたとき、完全な３６０度のリングを構成することを特徴とする塔部（６）。
【請求項６】
請求項１から５のいずれかに記載の塔部（６）であって、
前記開口部部分（１０）は、完全な３６０度の塔部（６）に対して、５度と１８０度との間、好ましくは３０度と１００度との間、最も好ましくは４０度と８０度との間の部分を構成していることを特徴とする塔部（６）。
【請求項７】
請求項１から６のいずれかに記載の塔部（６）であって、
前記少なくともひとつの開口部部分（１０）の幅は、少なくともひとつの開口部（７）が最も幅広になる箇所における開口部部分（１０）の水平な断面視において、少なくともひとつの開口部（７）の全幅に対して、１０パーセントと５００パーセントとの間、好ましくは５０パーセントと３００パーセントとの間、最も好ましくは１００パーセントと２００パーセントとの間である幅を有することを特徴とする先行する塔部（６）。
【請求項８】
請求項１から７のいずれかに記載の塔部（６）であって、
前記壁部分（９）は、１メートルと１０メートルとの間、好ましくは２メートルと６メートルとの間、最も好ましくは３メートルと５メートルとの間の外径を有していることを特徴とする塔部（６）。
【請求項９】
請求項１から８のいずれかに記載の塔部（６）であって、
前記開口部部分（１０）のピッチ円直径は、前記壁部分（９）のピッチ円直径と実質的に同一になっていることを特徴とする塔部（６）。
【請求項１０】
請求項１から９のいずれかに記載の塔部（６）であって、
前記開口部部分（１０）のピッチ円直径は、前記壁部分（９）のピッチ円直径に比べて小さくなっていることを特徴とする塔部（６）。
【請求項１１】
請求項１から１０のいずれかに記載の塔部（６）であって、
前記開口部部分（１０）は、前記壁部分（９）の厚みに対して、１０パーセントと５００パーセントとの間、好ましくは５０パーセントと２５０パーセントとの間、最も好ましくは８０パーセントと１８０パーセントとの間の厚さを有していることを特徴とする塔部（６）。
【請求項１２】
請求項１から１１のいずれかに記載の塔部（６）であって、
前記壁部分（９）の高さは、１メートルと１０メートルとの間、好ましくは１．５メートルと５メートルとの間、最も好ましくは２メートルと４メートルとの間であることを特徴とする塔部（６）。
【請求項１３】
請求項１から１２のいずれかに記載の塔部（６）であって、
前記開口部部分（１０）は、前記壁部分（９）と実質的に同一の高さになっていることを特徴とする塔部（６）。
【請求項１４】
請求項１から１３のいずれかに記載の塔部（６）であって、
前記少なくともひとつの開口部部分（１０）における前記少なくともひとつの開口部（７）はドアの開口部（７）であって、ドア（８）は、１以上の磁石ヒンジ（２３）によって、前記開口部部分（１０）に結合されていることを特徴とする塔部（６）。
【請求項１５】
請求項１から１４のいずれかに記載の塔部（６）であって、
前記ドア開口部（７）は、実質的に長円形であって、垂直で平行な側部と、長手方向の丸い端部とを備えていることを特徴とする塔部（６）。
【請求項１６】
請求項１から１５のいずれかに記載の塔部（６）であって、
前記塔部（６）は、塔のリング（２２）であることを特徴とする塔部（６）。
【請求項１７】
請求項１に記載された風力タービン（１）の塔部（６）における少なくともひとつの開口部（７）をカバーするための開口部のカバー装置であって、
１以上のカバー板と、
前記装置を前記塔部（６）に取り付けるための１以上の取付手段とを備え、
前記取付手段は、磁石手段及び／又は接着手段によって、前記塔部（６）の疲労限界に影響を与えないことを特徴とする開口部のカバー装置。
【請求項１８】
請求項１７に記載の開口部のカバー装置であって、該カバー装置は、磁力により該塔部（６）に取り付けられているヒンジ（２３）を有するドアであることを特徴とするカバー装置。
【請求項１９】
少なくともひとつの開口部部分（１０）と、少なくともひとつの壁部分（９）とを備える、風力タービンの塔部（６）を製造する方法であって、前記方法は、
完全な３６０度のリングよりも少なく前記ひとつの壁部分（９）を作る工程と、
前記開口部部分（１０）に開口部（７）を作る工程と、
固定ユニット（１２，１７）に該開口部分または該壁部分（９，１０）のうちの一方を固定する工程と、
その他方（９，１０）を、前記固定ユニット（１２，１７）に固定された前記一方（９，１０）の近傍の位置に移動させる工程と、
結合手段によって、該開口部分および該壁部分（９，１０）を結合する工程とを備えていることを特徴とする風力タービンの塔部（６）の製造方法。
【請求項２０】
請求項１９に記載の風力タービンの塔部（６）の製造方法であって、該方法は、
与えられた厚さの前記少なくともひとつの壁部分（９）とほぼ一様で前記少なくともひとつの壁部分（９）の厚さより厚い少なくともひとつの開口部部分（１０）とを結合する工程を備えていることを特徴とする風力タービンの塔部（６）の製造方法。
【請求項２１】
請求項１９または２０に記載の風力タービンの塔部（６）の製造方法であって、
前記少なくともひとつの開口部部分（１０）と少なくともひとつの壁部分（９）とは、圧延によって作られることを特徴とする製造方法。
【請求項２２】
請求項１９から２１のいずれかに記載の風力タービンの塔部（６）の製造方法であって、
前記開口部部分（１０）における少なくとも２つの縁部は、鋭利（１１）になっていることを特徴とする製造方法。
【請求項２３】
請求項２２に記載の風力タービンの塔部（６）の製造方法であって、
前記開口部部分（１０）の凹面側と凸面側とにおける少なくとも２つの対向する縁部は、例えば、実質的に前記壁部分（９）の厚みになるまで鋭利（１１）になっていることを特徴とする製造方法。
【請求項２４】
請求項１９から２３のいずれかに記載の風力タービンの塔部（６）の製造方法であって、
前記少なくともひとつの開口部部分（１０）と、前記少なくともひとつの壁部分（９）との間の結合部は溶接部であることを特徴とする製造方法。
【請求項２５】
請求項１９から２４のいずれかに記載の風力タービンの塔部（６）の製造方法であって、
前記固定ユニット（１２，１７）は、圧延機（１３）又はその一部分であることを特徴とする製造方法。
【国際調査報告】
2008519930.tif 000016
2008519930.tif 000017
2008519930.tif 000018